(57)【要約】【課題】データ読み取り書き込み部４とＲＦＩＤラベル８（ＲＦＩＤインレット１０）間のデータ交信時は隣接している他のＲＦＩＤラベル８による電磁波の干渉を受けることなく、データ交信および印字を行うことができ、読み取り又は書き込み動作が確実性を増し、不良ＲＦＩＤラベル８としての誤認識を防ぐことを可能としたＲＦＩＤ用紙用プリンターを提供すること。【解決手段】データ読み取り書き込み部４におけるデータ交信をＲＦＩＤラベル８と行った後、所定量２８、ＲＦＩＤ用紙２を下流側に移送することで、データ交信範囲領域３０内には、台紙７により連接され、隣接する単片ＲＦＩＤラベル８がデータ交信範囲領域３０外となり、単枚のＲＦＩＤラベル８を存することで、再度の読み取り又は書き込み動作が確実性を増し、不良ＲＦＩＤラベルとしての誤認識を防ぐことを可能としたことを特徴とする。【選択図】図２
2011076276.tif 000002
【特許請求の範囲】
【請求項１】
アンテナと、このアンテナに接続しているとともに所定の情報を記憶したＩＣチップを有するＲＦＩＤ用紙を移送する移送路と、データ読み取り書き込み部と、印字部と、この印字部および前記データ読み取り書き込み部と、を制御する制御部とを有し、
前記データ読み取り書き込み部により、前記ＲＦＩＤ用紙との間においてデータ交信範囲領域内で情報を読取り又は書き込みするとともに、前記ＲＦＩＤ用紙の表面に所定の情報を印字可能としたＲＦＩＤ印字用紙用プリンターであって、
前記制御部は、前記ＲＦＩＤ用紙に有する前記データ交信範囲領域内で読み取り又は書き込みを行い、前記読み取り又は書き込みが適正であるか否かの判定結果を第１記憶手段に記憶し、前記ＲＦＩＤ用紙を下流側に所定量を移送し、前記データ交信範囲領域から前記所定量、移送された位置で読み込み又は書き込みを行い、判定結果を第２記憶手段に記憶し、前記第１記憶手段と、前記第２記憶手段とが、少なくともどちらかの判定結果が正常であれば、さらに下流側に有する前記印字部まで移送後、前記所定の情報を印字する制御を特徴とするＲＦＩＤ印字用紙用プリンター。
【請求項２】
前記データ読み取り書き込み部は、前記移送路上の前記ＲＦＩＤ用紙が移送停止中に読み取り又は書き込みを行うことを特徴とする請求項１記載のＲＦＩＤ印字用紙用プリンター。
【発明の詳細な説明】
【技術分野】
【０００１】
本発明はＲＦＩＤ用紙用プリンターにかかるもので、とくに非接触で情報の読み取りや書き込みを行うとともに、印字を可能としたＲＦＩＤ用紙用プリンターに関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うための各種のＲＦＩＤ情報媒体は、所定の表面積を有する、たとえば平面状の用紙本体と、この用紙本体に設けた平面状のアンテナと、このアンテナに接続しているとともに所定の情報を記憶したＩＣチップと、を有するとともに、外部のデータ読み取り書き込み部によって上記情報の読取りや書込みを可能としている。このようなＲＦＩＤ情報媒体は、単葉の形態として使用される場合以外に、これを連続帯状のラベルや下げ札などの形態を有するＲＦＩＤ用紙として任意の形態のプリンターに装填して使用する場合もある。
【０００３】
ＲＦＩＤ用紙に印字および読み込みや書き込みを行なう場合、プリンターに搭載されているデータ読み取り書き込み部の近傍位置にＲＦＩＤ用紙がデータ交信可能な位置に至った時点で、ＲＦＩＤ用紙に対しデータの読取りあるいは書き込み、その結果をメモリに保存し、その位置で再度読み込みを行いＲＦＩＤインレットの情報内容の照合確認を行っていた。
【０００４】
プリンターに搭載されているＲＦＩＤ用紙などは、ＲＦＩＤラベル同士を所定の間隔で連続して台紙上に仮着され、データ読み取り書き込み部とデータ交信を行うと通常よりも交信距離は短くなる。この原因として、単片ＲＦＩＤラベルサイズを小さくすると、帯状に形成された台紙に多数のＲＦＩＤラベルが一定の間隔で仮着されて構成される用紙（ ＲＦＩＤ用紙）において、隣接するラベル同士の間隔が狭くなり、アンテナに対する交信動作範囲に複数のＲＦＩＤラベルが入ることとなり、データ読み取り書き込み部からアンテナを介して送信される信号に対して目的とするＲＦＩＤラベルの前後のＲＦＩＤラベルも応答し、データの書き込みができなくなる場合があるという問題があった。また、ＲＦＩＤインレットに内蔵するＩＣチップが静電気などの衝撃に弱く、製造工程の途中や使用する前に損傷して使用不能となっているものが少なからず存在する。しかし、ＩＣチップの電気的な損傷は外観からは判別不可能で、データの書き込みができなくなる場合があるという問題がある。
【先行技術文献】
【特許文献】
【０００５】
【特許文献１】特開２００６−１８４５６号公報
【発明の概要】
【発明が解決しようとする課題】
【０００６】
本発明は以上のような諸問題にかんがみなされたもので、その目的は、単片ＲＦＩＤラベルではデータ交信可能であっても、ＲＦＩＤラベル同士を所定の間隔で連続して台紙上に仮着され、データ読み取り書き込み部とデータ交信を行うと通常よりも交信距離は短くなり、見かけ上、不良ＲＦＩＤラベルとしての誤認識を防ぐ誤判定防止可能なＲＦＩＤ用紙プリンターを提供することを課題とする。
【課題を解決するための手段】
【０００７】
すなわち第１の本発明は、アンテナと、このアンテナに接続しているとともに所定の情報を記憶したＩＣチップを有するＲＦＩＤ用紙を移送する移送路と、データ読み取り書き込み部と、印字部と、この印字部および前記データ読み取り書き込み部と、を制御する制御部とを有し、前記データ読み取り書き込み部により、前記ＲＦＩＤ用紙との間においてデータ交信範囲領域内で情報を読取り又は書き込みするとともに、前記ＲＦＩＤ用紙の表面に所定の情報を印字可能としたＲＦＩＤ印字用紙用プリンターであって、前記制御部は、前記ＲＦＩＤ用紙に有する前記データ交信範囲領域内で読み取り又は書き込みを行い、前記読み取り又は書き込みが適正であるか否かの判定結果を第１記憶手段に記憶し、前記ＲＦＩＤ用紙を下流側に所定量を移送し、前記データ交信範囲領域から前記所定量、移送された位置で読み込み又は書き込みを行い、判定結果を第２記憶手段に記憶し、前記第１記憶手段と、前記第２記憶手段とが、少なくともどちらかの判定結果が正常であれば、さらに下流側に有する前記印字部まで移送後、前記所定の情報を印字する制御を特徴とするＲＦＩＤ印字用紙用プリンターである。
【０００８】
上記第１の発明の構成によれば、前記データ読み取り書き込み部は、前記移送路上の前記ＲＦＩＤ用紙が移送停止中に読み取り又は書き込みを行うことができる。
【発明の効果】
【０００９】
本発明によるＲＦＩＤ用紙用プリンターにおいては、ＲＦＩＤ用紙を上流側から移送し、データ読み取り書き込み部との交信可能範囲領域の位置に着たとき、ＩＣチップへの読み込み又は書き込みを行った後、判定結果を記憶し、さらに所定量分を移送後、再度の読み込み又は書き込みを行うことにより、電波による干渉、反射の影響を回避できＲＦＩＤ用紙とのデータ交信が確実性を増すものとなる。
【図面の簡単な説明】
【００１０】
【図１】本発明の実施例によるＲＦＩＤ用紙用プリンター（たとえばサーマルプリンター１）の要部概略側面図である。
【図２】同、データ読み取り書き込み部４とＲＦＩＤ用紙２のセパサイズ２５（ラベル本体９のピッチ長２６とラベル間ギャップ長２７を加えたもの）の関係説明図である。
【図３】同、サーマルプリンター１の動作のフローチャート図である。
【発明を実施するための形態】
【００１１】
本発明は、データ読み取り書き込み部におけるデータ交信を再び行う前に所定量分、下流側に移送することで、データ交信範囲領域内では、台紙により連接され、隣接する単片ＲＦＩＤラベルがデータ交信領域外となり、単枚のＲＦＩＤラベルを存することで、読み取り又は書き込み動作が確実性を増し、不良ＲＦＩＤラベルとしての誤認識を防ぐことを可能とし、構成を簡素化しつつ全体の処理速度を向上させることができるＲＦＩＤ用紙用プリンターを実現した。
【実施例】
【００１２】
本発明の実施例によるＲＦＩＤ用紙用プリンター（たとえば、サーマルプリンター１）を図１ないし図３にもとづき説明する。
図１は、サーマルプリンター１の要部概略側面図であって、サーマルプリンター１は、ＲＦＩＤラベル８の移送路３と、データ読み取り書き込み部４（リーダーライター）と、印字部５と、制御部６と、を有する。
【００１３】
ＲＦＩＤラベル８は、たとえばラベル形態としてもので、帯状の台紙７と、台紙７上に等間隔に仮着した複数枚のＲＦＩＤラベル８と、を有する。もちろん、ＲＦＩＤラベル８が互いにミシン目などを挟んで連続した状態のタグ（下げ札）形態とすることもできる。
ＲＦＩＤラベル８は、ラベル本体９にＲＦＩＤインレット１０（いわゆるＩＣタグ）を積層して組み込んで構成したもので、これを台紙７とともに移送路３上にこれを移送する。ＲＦＩＤインレット１０は、アンテナ１１およびＩＣチップ１２、を有する。
このＲＦＩＤラベル８は、データ読み取り書き込み部４からの電波の発信を受けて、ＩＣチップ１２からのデータの読取りおよびＩＣチップ１２へのデータの書込みが可能であるとともに、印字部５においてその表面に所定の情報を印字可能である。
なお、台紙７の裏面には、ラベル位置検出用のラベル位置検出用マーク１３をあらかじめ印刷してある。
【００１４】
移送路３には、ＲＦＩＤラベル８の供給部（図示せず）からデータ読み取り書き込み部４および印字部５に向かって（上流側から下流側に向かって）ＲＦＩＤラベル８が適正に移送されるようにしてある。
【００１５】
図１に示す通り、データ読み取り書き込み部４は、印字部５の上流側に位置して、ＲＦＩＤ用紙２の個々のＲＦＩＤラベル８がデータ読み取り書き込み部４との間でデータ交信可能な領域に移送されてきたときに、制御部６からの制御信号により、データ交信範囲領域３０（図２より）においてＲＦＩＤラベル８からのデータの読取りあるいはＲＦＩＤラベル８へのデータの書み込み、すなわち無線による非接触のデータ交信を双方向に行うことができる。もちろんデータ読み取り書き込み部４とＲＦＩＤインレット１０の位置関係によって読取り性能が低下させないように、電波、電磁誘導の性質上、データ読み取り書き込み部４のＲＦＩＤインレット１０の面の位置関係は、平行の構造としている。図２に示す読み取り書き込み部４における電磁波の出力値は一定に設定し、データ交信範囲領域３０内においてはデータ交信可能であるが、データ交信範囲領域３０外では、移送路３から移送されてくるＲＦＩＤインレット１０は反応しない設定である。
【００１６】
図１より、印字部５は、サーマルヘッド１４およびプラテンローラー１５を有し、ラベル位置検出用マーク１３を検出したラベル検出センサー１６からの検出信号にもとづき、制御部６からサーマルヘッド１４の発熱素子（図示せず）に出力される制御信号により、必要に応じてＲＦＩＤ用紙２のＲＦＩＤラベル８の表面上に所定の情報を印字する。この印字する情報としては、ＲＦＩＤラベル８の管理情報やその他必要な表示情報、あるいはＩＣチップ１２内のデータに対応した情報など、任意の情報である。
また、台紙７からＲＦＩＤラベル８を剥離するための剥離部（剥離板、図示せず）を必要に応じて設けることにより、台紙７のみを転向させて、台紙７からＲＦＩＤラベル８を剥離可能とすることができる。
【００１７】
制御部６は、上述したＲＦＩＤ用紙２の移送を制御するとともに、データ読み取り書き込み部４および印字部５（サーマルヘッド１４およびプラテンローラー１５）やラベル検出センサー１６、ＲＦＩＤセンサー１７を制御する。
【００１８】
こうした構成のサーマルプリンター１において、データ読み取り書き込み部４においてＲＦＩＤラベル８との間のデータ交信すなわち、ＲＦＩＤラベル８内のＩＣチップ１２からデータを読み取り、あるいはＩＣチップ１２に必要なデータを書き込むことができるとともに、これらのデータに対応する所定のバーコード情報などを印字部５においてＲＦＩＤラベル８の表面に印字可能である。
【００１９】
データ読み取り書き込み部４において、あるＲＦＩＤラベル８との間でデータ交信ののちに、このＲＦＩＤラベル８を上流側へ逆移送（いわゆるバックフィード）を行うことなく、順方向へのＲＦＩＤ用紙２の移送操作のみで（すなわち、データ読取り書き込み部４と印字部５との間でそれぞれＲＦＩＤラベル８と一対一の関係を維持したまま）、データ交信およびデータ印字を順次実行可能である。
【００２０】
図１において、このサーマルプリンター１は、制御部６に記憶手段である第１データメモリ２１、並びに第２データメモリ２２を設けている。記憶手段としては、不揮発性ＲＡＭなど電源をオフしてもデータが記憶されているものが好適である。
さらに、移送路３上においてデータ読み取り書き込み部４の上流側にＲＦＩＤインレット１０を位置検出するためのＲＦＩＤセンサー１７を設けるとともに、このＲＦＩＤセンサー１７に検出可能なＲＦＩＤ位置検出用マーク１８を台紙７の裏面においてＲＦＩＤインレット１０に対応した部位にあらかじめ印刷を施している。
ＲＦＩＤセンサー１７がＲＦＩＤ位置検出用マーク１８を検出したときには、データ読み取り書き込み部４がＲＦＩＤラベル８（ＲＦＩＤインレット１０）とデータ交信開始可能な位置に移送されてきたことになる。
【００２１】
図２はデータ読み取り書き込み部４とＲＦＩＤ用紙２のセパサイズ２５（ラベルのピッチ長２６とラベル間ギャップ２７長を加えたもの）の関係説明図である。図２（ａ１）はセパサイズＡ２５の場合で、データ交信範囲領域３０よりもセパサイズＡ２５が大きいときにＲＦＩＤセンサー１７がＲＦＩＤ位置検出用マーク１８を検出した時点で移送を停止し、データ読み取り書き込み部４が、読み取り又は書き込みを行う状態である。図２（ａ２）はセパサイズＡ２５であるＲＦＩＤ用紙２を移送路３上で所定量Ｗ２８下流側に移動した状態である。つまり、所定量Ｗ２８とはＲＦＩＤインレット１０が移動後においてもデータ交信範囲領域３０に存することができる移動距離である。したがってデータ交信範囲領域３０内には単数のＲＦＩＤラベル８が存するのみで、隣接したＲＦＩＤラベル８がデータ交信範囲領域３０外に有することとなる。
【００２２】
同様に図２より（ｂ１）はセパサイズＢ２５の大きさが、データ交信範囲領域３０／２  ＜  セパサイズＢ２５  の場合で、つまりデータ交信範囲領域３０は、セパサイズＢ２５より大きいが２倍のセパサイズＢ２５よりは小さいとき、ＲＦＩＤセンサー１７がＲＦＩＤ位置検出用マーク１８を検出した時点で移送を停止し、データ読み取り書き込み部４が、読み取り又は書き込みを行う状態である。（ｂ２）はセパサイズＢ２５であるＲＦＩＤ用紙２を移送路３上で所定量Ｘ２８下流側に移動した状態である。データ交信範囲領域３０内には単数のＲＦＩＤラベル８が存するのみで、隣接したＲＦＩＤラベル８がデータ交信範囲領域３０外に有することとなる。
データ交信範囲領域３０  ＞  ２×セパサイズ  の場合として、極小ＲＦＩＤラベル８となるが、ラベル間ギャップ２７を通常幅より大きくし、データ交信範囲領域３０  ＝  ２×セパサイズ  とすることで、（ｂ１）、（ｂ２）の処理と同一となり、データ交信範囲領域３０内には単数のＲＦＩＤラベル８が存するのみで、隣接したＲＦＩＤラベル８がデータ交信範囲領域３０外に有することとなる。
【００２３】
図１より、制御部６は、データ読み取り書き込み部４によるデータ交信ののち、ＲＦＩＤラベル８用の第１記憶手段である第１データメモリ２１に、また所定量分、移送後、再びデータ交信ののち第２記憶手段である第２データメモリ２２に格納し、ＲＦＩＤラベル８についてそのデータ交信結果の判定結果を確認し、印字部５におけるこのＲＦＩＤラベル８への印字を許可する。
【００２４】
こうした構成のサーマルプリンター１において、データ読み取り書き込み部４におけるＲＦＩＤラベル８との間のデータ交信（データの読み取りないし書き込み）および印字部５における印字動作について説明する。
図３は、サーマルプリンター１の動作のフローチャート図であって、ステップＳ１において、ＲＦＩＤ用紙２の移送を開始し、ステップＳ２において、ＲＦＩＤラベル８のＲＦＩＤインレット１０をＲＦＩＤセンサー１７により検出すればＲＦＩＤ用紙２の移送を停止する。ＲＦＩＤセンサー１７がＲＦＩＤラベル８の台紙７に印刷されているＲＦＩＤ用位置検出マークを未検出であれば、検出するまでＲＦＩＤ用紙２を移送する。ステップＳ３においてデータ読み取り書き込み部４とＲＦＩＤラベル８（ＲＦＩＤインレット１０）との間のデータ交信を行い、その交信の適正か否かの結果を第１データメモリ２１に保存する。
【００２５】
ステップＳ４においてＲＦＩＤ用紙２を所定量Ｘ２８分だけ移送し、停止後、再度データ読み取り書き込み部４とＲＦＩＤラベル８（ＲＦＩＤインレット１０）との間のデータ交信を行う。これは、データ読み取り書き込み部４のデータ交信領域内に単数のＲＦＩＤラベル８とのデータ交信を行うためであり、単片ＲＦＩＤラベル８のピッチ長２６により移送する所定量Ｘ２８を可変可能とする。すなわち、データ交信領域内では、台紙７により連接され、隣接するＲＦＩＤラベル８がデータ交信領域外となり、単枚のＲＦＩＤラベル８を存することで、読み取り又は書き込み動作が確実性を増し、不良ＲＦＩＤラベルとしての誤認識を防ぐことを可能とする。
【００２６】
また、図３のフローチャートには未記載であるが、データ読み取り書き込み部４と、ＲＦＩＤラベル８とが、データ交信範囲領域３０内で読み取り又は書き込みを行い、読み取り又は書き込みが適正であるか否かの判定結果が正常の場合は、印字部５まで移送後、印字を行ない、異常の場合のみ、ＲＦＩＤ用紙２を下流側に所定量Ｘ２８を移送し、その所定量Ｘ２８移送された位置で読み込み又は書き込みを行い、判定結果が正常であれば、さらに下流側に有する印字部５まで移送し、所定の情報を印字することも可能である。
【００２７】
ステップＳ５においてデータ読み取り書き込み部４とＲＦＩＤラベル８（ＲＦＩＤインレット１０）との間のデータ交信を行い、その交信の適正か否かの結果を第２データメモリ２２に保存する。
【００２８】
ステップＳ６において、第１データメモリ２１、及び第２データメモリ２２における判定結果が、適正であるかを確認し、少なくともどちらか一方が適正であれば、ステップＳ７において移送を再開し、ラベル検出センサー１６によりラベル位置検出用マーク１３を検出されることで適正な印字開始位置となり、データ読み取り書き込み部４より下流に位置する印字部５により、そのＲＦＩＤラベル８に印字を行なう。ステップ８において、そのＲＦＩＤラベル８に印字し、第１データメモリ２１、及び第２データメモリ２２における判定結果が、両方共に不適正であれば、不良ＲＦＩＤラベルであると判断し、ステップＳ９において警告印字を行う。警告印字の方法は任意であって、たとえば、ＲＦＩＤラベル８への「×印」の印字、あるいは「ＲＦＩＤ不良」の印字などがある。
【００２９】
かくして、たとえば、データ交信範囲領域３０よりもセパサイズが大きいときや、データ交信範囲領域３０／２  ＜  セパサイズの場合などでは、仮にＲＦＩＤラベル８に対するＲＦＩＤインレット１０の挟み込まれる位置が、どの部位に挟み込まれてもＲＦＩＤラベル８は同じ移送路３上の位置でデータ交信（読み取り、書き込み動作）しないため、移送前後において、少なくともデータ交信範囲領域３０内には単数のＲＦＩＤラベル８が存することになり、データ読み取り書き込み部４とＲＦＩＤラベル８（ＲＦＩＤインレット１０）間のデータ交信時は隣接している他のＲＦＩＤラベル８による電磁波の干渉を受けることなく、データ交信および印字を行うことができる。したがって、読み取り又は書き込み動作が確実性を増し、不良ＲＦＩＤラベルとしての誤認識を防ぐことが可能である。
【符号の説明】
【００３０】
１  サーマルプリンター（実施例、図１）
２  ＲＦＩＤ用紙
３  移送路
４  データ読み取り書き込み部
５  印字部
６  制御部
７  台紙
８  ＲＦＩＤラベル
９  ラベル本体
１０  ＲＦＩＤインレット
１１  アンテナ
１２  ＩＣチップ
１３  ラベル位置検出用マーク
１４  サーマルヘッド
１５  プラテンローラー
１６  ラベル検出センサー
１７  ＲＦＩＤセンサー
１８  ＲＦＩＤ位置検出用マーク
２１  第１データメモリ
２２  第２データメモリ
２５  セパサイズ、セパサイズＡ、セパサイズＢ
２６  ピッチ長
２７  ラベル間ギャップ
２８  所定量Ｗ、所定量Ｘ
３０  データ交信範囲領域
【図１】
2011076276.tif 000003
【図２】
2011076276.tif 000004
【図３】
2011076276.tif 000005